(57)【要約】      （修正有）【課題】書籍との対応関係が容易に認識できる書籍管理用スリップを提供する。【解決手段】書類管理用スリップ１は、所定の位置で折りたたんで使用される長方形状のシート状基材２を備える。シート状基材２の表面は、書籍識別情報が印字された書類識別情報印字部６と、販売管理用の機械読取りコード４aが印刷された機械読取コード部４と、書籍関する画像５ａが印刷された画像印刷部５とを有する。書籍識別情報印字部６と機械読み取りコード部４とは、相互に隣接して配置されている。【選択図】図１（ａ）
0003133757.tif 000002
【実用新案登録請求の範囲】
【請求項１】
書籍の販売管理に使用される書籍管理用スリップであって、
シート状基材を備え、
前記シート状基材表面は、書籍識別情報が印字された書籍識別情報印字部と、前記書籍に関する画像が印刷された画像印刷部とを有することを特徴とする書籍管理用スリップ。
【請求項２】
前記画像は、前記書籍の表紙又はカバーの少なくとも一部を含むことを特徴とする請求項１に記載の書籍管理用スリップ。
【請求項３】
前記画像は、前記書籍の表紙又はカバーのうち書籍名を含む部分であることを特徴とする請求項２に記載の書籍管理用スリップ。
【請求項４】
前記画像は、前記書籍の属性を表すロゴを含むことを特徴とする請求項１〜３のいずれか１項に記載の書籍管理用スリップ。
【請求項５】
前記画像は、前記書籍の帯のうち少なくとも一部を含むことを特徴とする請求項１〜４のいずれか１項に記載の書籍管理用スリップ。
【請求項６】
前記画像は、前記書籍の付属物の画像を含むことを特徴とする請求項１〜５のいずれか１項に記載の書籍管理用スリップ。
【請求項７】
前記書籍識別情報は、書籍名を含み、さらに著者名、価格、部数、発行所、及び発行年月日のうち少なくとも一つを含むことを特徴とする請求項１〜６のいずれか１項に記載の書籍管理用スリップ。
【請求項８】
前記シート状基材表面は、販売管理用の機械読取りコードが印刷された機械読取りコード部をさらに有することを特徴とする請求項１〜７のいずれか１項に記載の書籍管理用スリップ。
【考案の詳細な説明】
【技術分野】
【０００１】
本考案は、書籍管理用スリップに関する。
【背景技術】
【０００２】
一般に、出版社が書店に配本する際に、書籍（本）には書籍管理用スリップが差し込まれている（例えば、特許文献１参照）。書店において、書籍が販売された際、書店員は、書籍から書籍管理用スリップを回収し、保管しておく。その後、保管された書籍管理用スリップを基に、書店員は補充注文するかどうかを判断する。
【特許文献１】特開２００６−３１７８６９号公報
【考案の開示】
【考案が解決しようとする課題】
【０００３】
しかしながら、新刊により陳列棚のスペースが埋まっている等の理由から、既刊書の売れ行きが良くても補充注文を行わない場合が増えている。つまり、書籍管理用スリップに基づけば補充注文すべきである書籍であっても、書店員で売れ行きが良いという認識がある書籍についてのみ補充注文が行われる。
【０００４】
従来の書籍管理用スリップには、書籍名、著者名、定価等の文字情報と、ＰＯＳシステム等で読み取るためのバーコードが印刷されている。一方、書店員は、実際の書籍の表紙により書籍を認識している。そのため、従来の書籍管理用スリップに記載されている内容では、書店員には当該書籍管理用スリップがどの書籍に対応しているのか認識しづらく、堅実に売れている書籍が補充注文されないおそれがある。
【０００５】
本考案は、かかる実情に鑑み、書籍との対応関係が容易に認識できる書籍管理用スリップを提供しようとするものである。
【課題を解決するための手段】
【０００６】
本考案の請求項１に記載の書籍管理用スリップは、書籍の販売管理に使用される書籍管理用スリップであって、シート状基材を備え、前記シート状基材表面は、書籍識別情報が印字された書籍識別情報印字部と、前記書籍に関する画像が印刷された画像印刷部とを有することを特徴とする。
【０００７】
本考案の請求項２に記載の書籍管理用スリップは、請求項１に記載の特徴に加え、前記画像は、前記書籍の表紙又はカバーの少なくとも一部を含むことを特徴とする。
【０００８】
本考案の請求項３に記載の書籍管理用スリップは、請求項２に記載の特徴に加え、前記画像は、前記書籍の表紙又はカバーのうち書籍名を含む部分であることを特徴とする。
【０００９】
本考案の請求項４に記載の書籍管理用スリップは、請求項１〜３のいずれか１項に記載の特徴に加え、前記画像は、前記書籍の属性を表すロゴを含むことを特徴とする。
【００１０】
本考案の請求項５に記載の書籍管理用スリップは、請求項１〜４のいずれか１項に記載の特徴に加え、前記画像は、前記書籍の帯のうち少なくとも一部を含むことを特徴とする。
【００１１】
本考案の請求項６に記載の書籍管理用スリップは、請求項１〜５のいずれか１項に記載の特徴に加え、前記画像は、前記書籍の付属物の画像を含むことを特徴とする。
【００１２】
本考案の請求項７に記載の書籍管理用スリップは、請求項１〜６のいずれか１項に記載の特徴に加え、前記書籍識別情報は、書籍名を含み、さらに著者名、定価、部数、発行所、及び発行年月日のうち少なくとも一つを含むことを特徴とする。
【００１３】
本考案の請求項８に記載の書籍管理用スリップは、請求項１〜７のいずれか１項に記載の特徴に加え、前記シート状基材表面は、販売管理用の機械読取りコードが印刷された機械読取りコード部をさらに有することを特徴とする。
【考案の効果】
【００１４】
請求項１に記載の書籍管理用スリップによれば、書籍識別情報が印字された書籍識別情報印字部と、書籍に関する画像が印刷された画像印刷部とを備えているため、書籍管理用スリップと、当該書籍管理用スリップに対応する書籍との対応関係の認識が容易となる。また、これにより販売状況に応じた発注を確実に行うことができる。
【００１５】
請求項２に記載の書籍管理用スリップによれば、画像は、表紙又はカバー又は表紙の少なくとも一部を含むため、書籍管理用スリップと、書籍の表紙又はカバーとの対応関係を認識することができる。
【００１６】
請求項３に記載の書籍管理用スリップによれば、画像は、表紙又はカバーのうち書籍名を含むため、書籍管理用スリップと、書籍の書籍名とを照合する際に、書籍名付近の画像も見ることができるので、より確実に、書籍管理用スリップと、書籍との対応関係を認識することができる。
【００１７】
請求項４に記載の書籍管理用スリップによれば、画像は、書籍の属性を表すロゴを含むため、どのような属性の書籍がよく売れているかを容易に認識できる。ここで、属性とは、書籍のシリーズ名等をいう。
【００１８】
請求項５に記載の書籍管理用スリップによれば、画像は、書籍の帯のうち少なくとも一部を含むため、帯つきの書籍についても、書籍管理用スリップと、書籍との対応関係の認識が容易となる。
【００１９】
請求項６に記載の書籍管理用スリップによれば、画像は、書籍の付属物の画像を含むため、書籍の実物を見ることなく、どのような付属物が付属しているかの認識が容易となる。
【００２０】
請求項７に記載の書籍管理用スリップによれば、書籍識別情報は、書籍名を含み、さらに著者名、定価、部数、発行所、及び発行年月日のうち少なくとも１つを含むため、画像印刷部の画像から見える情報に加えて、より詳細な書籍識別情報を認識することができる。
【００２１】
請求項８に記載の書籍管理用スリップによれば、シート状基材表面は、販売管理用の機械読取りコードが印刷された機械読取りコード部を有するため、書籍識別機能がさらに向上する。
【考案を実施するための最良の形態】
【００２２】
本考案の実施の形態による書籍管理用スリップについて、図１（ａ）〜図２を参照して説明する。
【００２３】
図１（ａ）、図１（ｂ）に示すように、書籍管理用スリップ１は、シート状基材２を備えている。シート状基材２は、折り曲げ式の短冊状で、折り曲げ部７にて二つ折りされる。図１（ａ）には、書籍管理用スリップ１を折り曲げた際の表側表面１０が示されており、図１（ｂ）には裏側表面１１が示されている。本明細書においては、表側表面１０及び裏側表面１１の両方を含めてシート状基材２の表面と呼ぶ。またシート状基材２の大きさ（開いた状態）は例えば幅４７ｍｍ、長さ２５０ｍｍであり、シート状基材２の材質としては例えば上質紙が用いられる。ただし、シート状基材２の大きさ及び材質はこれに限定されない。
【００２４】
図１（ａ）に示すように、シート状基材２は突出部３を有している。シート状基材２には半円状の切り込みが形成されており、シート状基材２を折り曲げ部７にて折り曲げると、突出部３が半円状に突出するようになっている。
【００２５】
シート状基材２の表面（表側表面１０及び裏側表面１１）には、書籍管理用スリップ１に対応する後述の書籍２０（図３参照）についての販売管理用の機械読取コード４ａが印刷された機械読取コード部４と、書籍２０に関する画像５ａが印刷された画像印刷部５と、機械読取コード部４及び画像印刷部５以外の領域であって、書籍識別情報が印字された書籍識別情報印字部６とを備えている。なお、書籍識別情報とは、書籍名、著者名、価格等の書籍２０に関する文字情報である。
【００２６】
機械読取コード部４は、機械読取コード４ａがバーコード形式で記載されており、バーコードリーダによって読み取られる部分である。
【００２７】
画像印刷部５には、書籍管理用スリップ１に対応する書籍２０に関する画像５ａが印刷されている。画像５ａについては、後述する。
【００２８】
書籍識別情報印字部６には、書籍管理用スリップ１に対応する書籍２０の書籍名６ａ、著者名６ｂ、価格６ｃ、発行所６ｄ、部数６ｅ等の書籍識別情報が印刷されている。
【００２９】
画像印刷部５に印刷される画像５ａについて説明する。図２に示すように、画像５ａは、書籍２０のカバー４０（図５参照）及び帯５０（図６参照）の前面４１、５１の画像である。カバー４０は、書籍２０の書籍名（タイトル）が記載された書籍名記載部４１ａ、書籍２０の属性を示すロゴ４１ｂ、及び著者名（監修者等を含む）が記載された著者名記載部４１ｃが形成されている。カバー４０及び帯５０についての詳細な説明は後述する。
【００３０】
このような構成によれば、書籍管理用スリップ１の画像印刷部５には、画像５ａとして、書籍２０のカバー４０及び帯５０の前面４１、５１が印刷されているので、書籍管理用スリップ１と、書籍管理用スリップ１に対応した書籍２０との対応関係が認識しやすい。
【００３１】
次に図３〜７を参照して、書籍２０について説明する。図３は、カバー４０及び帯５０が取り付けられた書籍２０についての説明図である。図４は、書籍２０の表紙の説明図である。図５は、書籍２０に取り付けられるカバー４０の説明図である。図６は、書籍２０に取り付けられる帯５０の説明図である。図７は、書籍２０に付属のＤＶＤ６０についての説明図である。
【００３２】
図３に示すように、書籍２０は表紙３０を備え、表紙３０全体を包み込むようにしてカバー４０が取り付けられている。さらに、カバー４０の上には、カバー４０を包み込むようにして帯５０が取り付けられている。なお、書籍２０にはＤＶＤ６０（図７参照）が付属しているが、必ずしもＤＶＤ付の書籍である必要はない。
【００３３】
図４に示すように、書籍２０の表紙３０は、前面３１、背面３２、及び後面３３を備えている。前面３１には、書籍２０の書籍名（タイトル）が記載された書籍名記載部３１ａ、書籍２０の属性を示すロゴ３１ｂ、及び著者名（監修者等を含む）が記載された著者名記載部３１ｃが形成されている。また、前面３１と同様に、背面３２には、書籍名記載部３２ａ、ロゴ３２ｂ、及び著者名記載部３２ｃが形成されている。
【００３４】
ロゴとは、書籍の特徴を示すものであり、本考案の実施の形態では、ロゴ３１ｂ、３２ｂは、書籍２０のシリーズ名である「ＤＶＤでよくわかる！」を含む部分である。
【００３５】
次に、図５を参照して、書籍２０のカバー４０について説明する。カバー４０は、表紙３０に対応するような前面４１、背面４２、及び後面４３を備え、さらに、前折り返し４４及び後折り返し４５を備える。
【００３６】
前面４１には、上述したように、書籍名記載部４１ａ、ロゴ４１ｂ、及び著者名記載部４１ｃが形成されている。また、前面４１と同様に、背面４２には、書籍名記載部４２ａ、ロゴ４２ｂ、及び著者名記載部４２ｃが形成されており、さらに、画像部４２ｄが形成されている。後面４３には、定価、発行所、機械読取りコード等が印刷されている。
【００３７】
前折り返し４４及び後折り返し４５は、カバー４０を表紙３０に取り付ける際に折り返す部分である。前折り返し４４には、カバー４０の製作元等のカバー情報が記載されている。後折り返し４５には、書籍名、発行年月日、著者名、及び発行所情報と、書籍に関連した書籍の情報が印刷されている。
【００３８】
次に、図６を参照して、書籍２０の帯５０について説明する。カバー４０と同様に、帯５０は、表紙３０及びカバー４０に対応するような前面５１、背面５２、後面５３、前折り返し５４、及び後折り返し５５を備えている。
【００３９】
前面５１及び後面５３には、書籍２０の特徴を示す画像、キャッチフレーズ、監修者の写真等が記載されている。背面５２には、カバー４０の背面４２のうち背面５２と対応する部分が印刷されている。
【００４０】
次に、図７を参照して、書籍２０の付属物であるＤＶＤ６０の表面６１について説明する。図７に示すように、ＤＶＤ６０の表面６１には、書籍名、ロゴ、著者名、及び画像が印刷されている。
【００４１】
尚、本考案の書籍管理用スリップは、上記した実施の形態に限定されるものではなく、本考案の要旨を逸脱しない範囲内において種々変更を加え得ることは勿論である。
【００４２】
上述した実施の形態では、書籍管理用スリップ１の画像印刷部５には、カバー４０及び帯５０の前面の画像５ａを印刷したが、画像５ａは、カバー４０及び帯５０の全体の画像でもよい。
【００４３】
また、画像印刷部５に印刷される画像５ａは、表紙３０、カバー４０、帯５０のうちいずれかの全体でもよいし一部でもよい。また、表紙３０、カバー４０、帯５０のうち２つ以上の画像を組み合わせてもよい。
【００４４】
また、画像印刷部５に印刷される画像５ａは、書籍２０の表紙３０（カバー４０）の書籍名記載部３１ａ（書籍名記載部４１ａ）の画像でもよい。
【００４５】
また、画像印刷部５に印刷される画像５ａは、書籍２０の表紙３０及びカバー４０のロゴ部３１ｂ及び４１ｂでもよい。このような構成によれば、どのような属性（例えばシリーズ名など）の書籍が売れているかの認識が容易となる。
【００４６】
また、画像印刷部５に印刷される画像５ａは、書籍２０に付属する付属物（ＤＶＤ６０又はＣＤなど）の画像でもよい。このような構成によれば、どのような付属物が付属しているかの認識が容易となる。
【００４７】
上述した実施の形態では、画像印刷部５は書籍管理用スリップ１の表側表面１０に形成されていたが、裏側表面１１に形成されてもよい。また画像印刷部５の表側表面１０又は裏側表面１１における位置及び形状も特に限定されない。
【図面の簡単な説明】
【００４８】
【図１（ａ）】本考案の実施の形態による書籍管理用スリップの表側表面を示す説明図である。
【図１（ｂ）】本考案の実施の形態による書籍管理用スリップの裏側表面を示す説明図である。
【図２】画像印刷部の画像を示す説明図である。
【図３】書籍を示す説明図である。
【図４】書籍の表紙を示す説明図である。
【図５】書籍のカバーを示す説明図である。
【図６】書籍の帯を示す説明図である。
【図７】書籍に付属のＤＶＤを示す説明図である。
【符号の説明】
【００４９】
１ 書籍管理用スリップ
２ シート状基材
３ 突出部
４ 機械読取コード部
５ 画像印刷部
６ 書籍識別情報印字部
１０ 表側表面
１１ 裏側表面
２０ 書籍
３０ 表紙
３１ 前面
３２ 背面
３３ 後面
４０ カバー
４１ 前面
４２ 背面
４３ 後面
５０ 帯
５１ 前面
５２ 背面
５３ 後面
６０ 付属物
６１ 表面
【図１（ａ）】
0003133757.tif 000003
【図１（ｂ）】
0003133757.tif 000004
【図２】
0003133757.tif 000005
【図３】
0003133757.tif 000006
【図４】
0003133757.tif 000007
【図５】
0003133757.tif 000008
【図６】
0003133757.tif 000009
【図７】
0003133757.tif 000010
【手続補正書】
【提出日】平成19年4月16日(2007.4.16)
【手続補正１】
【補正対象書類名】実用新案登録請求の範囲
【補正対象項目名】全文
【補正方法】変更
【補正の内容】
【実用新案登録請求の範囲】
【請求項１】
書籍の販売管理に使用される書籍管理用スリップであって、 所定の位置で折り畳んで使用される長方形状のシート状基材を備え、  前記シート状基材表面は、書籍識別情報が印字された書籍識別情報印字部と、販売管理用の機械読取りコードが印刷された機械読取りコード部と、前記書籍に関する画像が印刷された画像印刷部とを有し、 前記書籍識別情報印字部と前記機械読取りコード部とは、相互に隣接して配置されていることを特徴とする書籍管理用スリップ。
【請求項２】
前記画像印刷部は、前記書籍の表紙又はカバーの少なくとも一部の画像を有することを特徴とする請求項１に記載の書籍管理用スリップ。
【請求項３】
前記画像印刷部は、前記書籍の表紙又はカバーのうち書籍名を含む部分の画像を有することを特徴とする請求項２に記載の書籍管理用スリップ。
【請求項４】
前記画像印刷部は、前記書籍の属性を表すロゴの画像を有することを特徴とする請求項１〜３のいずれか１項に記載の書籍管理用スリップ。
【請求項５】
前記画像印刷部は、前記書籍の帯のうち少なくとも一部の画像を有することを特徴とする請求項１〜４のいずれか１項に記載の書籍管理用スリップ。
【請求項６】
前記画像印刷部は、前記書籍の付属物の画像を有することを特徴とする請求項１〜５のいずれか１項に記載の書籍管理用スリップ。
【請求項７】
前記書籍識別情報印字部は、書籍名を含み、さらに著者名、価格、部数、発行所、及び発行年月日のうち少なくとも一つを含むことを特徴とする請求項１〜６のいずれか１項に記載の書籍管理用スリップ。
【請求項８】
前記画像印刷部は、前記書籍のカバー及び帯の前面の画像を有することを特徴とする請求項１〜７のいずれか１項に記載の書籍管理用スリップ。
【手続補正２】
【補正対象書類名】明細書
【補正対象項目名】全文
【補正方法】変更
【補正の内容】
【考案の詳細な説明】
【技術分野】
【０００１】  本考案は、書籍管理用スリップに関する。
【背景技術】
【０００２】  一般に、出版社が書店に配本する際に、書籍（本）には書籍管理用スリップが差し込まれている（例えば、特許文献１参照）。書店において、書籍が販売された際、書店員は、書籍から書籍管理用スリップを回収し、保管しておく。その後、保管された書籍管理用スリップを基に、書店員は補充注文するかどうかを判断する。【特許文献１】特開２００６−３１７８６９号公報
【考案の開示】
【考案が解決しようとする課題】
【０００３】  しかしながら、新刊により陳列棚のスペースが埋まっている等の理由から、既刊書の売れ行きが良くても補充注文を行わない場合が増えている。つまり、書籍管理用スリップに基づけば補充注文すべきである書籍であっても、書店員で売れ行きが良いという認識がある書籍についてのみ補充注文が行われる。【０００４】  従来の書籍管理用スリップには、書籍名、著者名、定価等の文字情報と、ＰＯＳシステム等で読み取るためのバーコードが印刷されている。一方、書店員は、実際の書籍の表紙により書籍を認識している。そのため、従来の書籍管理用スリップに記載されている内容では、書店員には当該書籍管理用スリップがどの書籍に対応しているのか認識しづらく、堅実に売れている書籍が補充注文されないおそれがある。【０００５】  本考案は、かかる実情に鑑み、書籍との対応関係が容易に認識できる書籍管理用スリップを提供しようとするものである。
【課題を解決するための手段】
【０００６】  本考案の請求項１に記載の書籍管理用スリップは、書籍の販売管理に使用される書籍管理用スリップであって、所定の位置で折り畳んで使用される長方形状のシート状基材を備え、前記シート状基材表面は、書籍識別情報が印字された書籍識別情報印字部と、販売管理用の機械読取りコードが印刷された機械読取りコード部と、前記書籍に関する画像が印刷された画像印刷部とを有し、前記書籍識別情報印字部と前記機械読取りコード部とは、相互に隣接して配置されていることを特徴とする。【０００７】  本考案の請求項２に記載の書籍管理用スリップは、請求項１に記載の特徴に加え、前記画像印刷部は、前記書籍の表紙又はカバーの少なくとも一部の画像を有することを特徴とする。【０００８】  本考案の請求項３に記載の書籍管理用スリップは、請求項２に記載の特徴に加え、前記画像印刷部は、前記書籍の表紙又はカバーのうち書籍名を含む部分の画像を有することを特徴とする。【０００９】  本考案の請求項４に記載の書籍管理用スリップは、請求項１〜３のいずれか１項に記載の特徴に加え、前記画像印刷部は、前記書籍の属性を表すロゴの画像を有することを特徴とする。【００１０】  本考案の請求項５に記載の書籍管理用スリップは、請求項１〜４のいずれか１項に記載の特徴に加え、前記画像印刷部は、前記書籍の帯のうち少なくとも一部の画像を有することを特徴とする。【００１１】  本考案の請求項６に記載の書籍管理用スリップは、請求項１〜５のいずれか１項に記載の特徴に加え、前記画像印刷部は、前記書籍の付属物の画像を有することを特徴とする。【００１２】  本考案の請求項７に記載の書籍管理用スリップは、請求項１〜６のいずれか１項に記載の特徴に加え、前記書籍識別情報印字部は、書籍名を含み、さらに著者名、価格、部数、発行所、及び発行年月日のうち少なくとも一つを含むことを特徴とする。【００１３】  本考案の請求項８に記載の書籍管理用スリップは、請求項１〜７のいずれか１項に記載の特徴に加え、前記画像印刷部は、前記書籍のカバー及び帯の前面の画像を有することを特徴とする。
【考案の効果】
【００１４】  請求項１に記載の書籍管理用スリップによれば、書籍識別情報が印字された書籍識別情報印字部と、販売管理用の機械読取りコードが印刷された機械読取りコード部と、書籍に関する画像が印刷された画像印刷部とを有し、書籍識別情報印字部と機械読取りコード部とは、相互に隣接して配置されているため、書籍管理用スリップと、当該書籍管理用スリップに対応する書籍との対応関係の認識が容易となる。また、これにより販売状況に応じた発注を確実に行うことができる。【００１５】  請求項２に記載の書籍管理用スリップによれば、画像印刷部は、書籍の表紙又はカバーの少なくとも一部の画像を有するため、書籍管理用スリップと、書籍の表紙又はカバーとの対応関係を認識することができる。【００１６】  請求項３に記載の書籍管理用スリップによれば、画像印刷部は、書籍の表紙又はカバーのうち書籍名を含む部分の画像を有するため、書籍管理用スリップと、書籍の書籍名とを照合する際に、書籍名付近の画像も見ることができるので、より確実に、書籍管理用スリップと、書籍との対応関係を認識することができる。【００１７】  請求項４に記載の書籍管理用スリップによれば、画像印刷部は、書籍の属性を表すロゴの画像を有するため、どのような属性の書籍がよく売れているかを容易に認識できる。ここで、属性とは、書籍のシリーズ名等をいう。【００１８】  請求項５に記載の書籍管理用スリップによれば、画像印刷部は、書籍の帯のうち少なくとも一部の画像を有するため、帯つきの書籍についても、書籍管理用スリップと、書籍との対応関係の認識が容易となる。【００１９】  請求項６に記載の書籍管理用スリップによれば、画像印刷部は、書籍の付属物の画像を有するため、書籍の実物を見ることなく、どのような付属物が付属しているかの認識が容易となる。【００２０】  請求項７に記載の書籍管理用スリップによれば、書籍識別情報印字部は、書籍名を含み、さらに著者名、価格、部数、発行所、及び発行年月日のうち少なくとも一つを含むため、画像印刷部の画像から見える情報に加えて、より詳細な書籍識別情報を認識することができる。【００２１】  請求項８に記載の書籍管理用スリップによれば、画像印刷部は、書籍のカバー及び帯の前面の画像を有するため、書籍識別機能がさらに向上する。
【考案を実施するための最良の形態】
【００２２】  本考案の実施の形態による書籍管理用スリップについて、図１（ａ）〜図２を参照して説明する。【００２３】  図１（ａ）、図１（ｂ）に示すように、書籍管理用スリップ１は、シート状基材２を備えている。シート状基材２は、折り曲げ式の短冊状で、折り曲げ部７にて二つ折りされる。図１（ａ）には、書籍管理用スリップ１を折り曲げた際の表側表面１０が示されており、図１（ｂ）には裏側表面１１が示されている。本明細書においては、表側表面１０及び裏側表面１１の両方を含めてシート状基材２の表面と呼ぶ。またシート状基材２の大きさ（開いた状態）は例えば幅４７ｍｍ、長さ２５０ｍｍであり、シート状基材２の材質としては例えば上質紙が用いられる。ただし、シート状基材２の大きさ及び材質はこれに限定されない。【００２４】  図１（ａ）に示すように、シート状基材２は突出部３を有している。シート状基材２には半円状の切り込みが形成されており、シート状基材２を折り曲げ部７にて折り曲げると、突出部３が半円状に突出するようになっている。【００２５】  シート状基材２の表面（表側表面１０及び裏側表面１１）には、書籍管理用スリップ１に対応する後述の書籍２０（図３参照）についての販売管理用の機械読取コード４ａが印刷された機械読取コード部４と、書籍２０に関する画像５ａが印刷された画像印刷部５と、機械読取コード部４及び画像印刷部５以外の領域であって、書籍識別情報が印字された書籍識別情報印字部６とを備えている。なお、書籍識別情報とは、書籍名、著者名、価格等の書籍２０に関する文字情報である。【００２６】  機械読取コード部４は、機械読取コード４ａがバーコード形式で記載されており、バーコードリーダによって読み取られる部分である。【００２７】  画像印刷部５には、書籍管理用スリップ１に対応する書籍２０に関する画像５ａが印刷されている。画像５ａについては、後述する。【００２８】  書籍識別情報印字部６には、書籍管理用スリップ１に対応する書籍２０の書籍名６ａ、著者名６ｂ、価格６ｃ、発行所６ｄ、部数６ｅ等の書籍識別情報が印刷されている。【００２９】  画像印刷部５に印刷される画像５ａについて説明する。図２に示すように、画像５ａは、書籍２０のカバー４０（図５参照）及び帯５０（図６参照）の前面４１、５１の画像である。カバー４０は、書籍２０の書籍名（タイトル）が記載された書籍名記載部４１ａ、書籍２０の属性を示すロゴ４１ｂ、及び著者名（監修者等を含む）が記載された著者名記載部４１ｃが形成されている。カバー４０及び帯５０についての詳細な説明は後述する。【００３０】  このような構成によれば、書籍管理用スリップ１の画像印刷部５には、画像５ａとして、書籍２０のカバー４０及び帯５０の前面４１、５１が印刷されているので、書籍管理用スリップ１と、書籍管理用スリップ１に対応した書籍２０との対応関係が認識しやすい。【００３１】  次に図３〜７を参照して、書籍２０について説明する。図３は、カバー４０及び帯５０が取り付けられた書籍２０についての説明図である。図４は、書籍２０の表紙の説明図である。図５は、書籍２０に取り付けられるカバー４０の説明図である。図６は、書籍２０に取り付けられる帯５０の説明図で���る。図７は、書籍２０に付属のＤＶＤ６０についての説明図である。【００３２】  図３に示すように、書籍２０は表紙３０を備え、表紙３０全体を包み込むようにしてカバー４０が取り付けられている。さらに、カバー４０の上には、カバー４０を包み込むようにして帯５０が取り付けられている。なお、書籍２０にはＤＶＤ６０（図７参照）が付属しているが、必ずしもＤＶＤ付の書籍である必要はない。【００３３】  図４に示すように、書籍２０の表紙３０は、前面３１、背面３２、及び後面３３を備えている。前面３１には、書籍２０の書籍名（タイトル）が記載された書籍名記載部３１ａ、書籍２０の属性を示すロゴ３１ｂ、及び著者名（監修者等を含む）が記載された著者名記載部３１ｃが形成されている。また、前面３１と同様に、背面３２には、書籍名記載部３２ａ、ロゴ３２ｂ、及び著者名記載部３２ｃが形成されている。【００３４】  ロゴとは、書籍の特徴を示すものであり、本考案の実施の形態では、ロゴ３１ｂ、３２ｂは、書籍２０のシリーズ名である「ＤＶＤ付シリーズ」を含む部分である。【００３５】  次に、図５を参照して、書籍２０のカバー４０について説明する。カバー４０は、表紙３０に対応するような前面４１、背面４２、及び後面４３を備え、さらに、前折り返し４４及び後折り返し４５を備える。【００３６】  前面４１には、上述したように、書籍名記載部４１ａ、ロゴ４１ｂ、及び著者名記載部４１ｃが形成されている。また、前面４１と同様に、背面４２には、書籍名記載部４２ａ、ロゴ４２ｂ、及び著者名記載部４２ｃが形成されており、さらに、画像部４２ｄが形成されている。後面４３には、定価、発行所、機械読取りコード等（図示せず）が印刷されている。【００３７】  前折り返し４４及び後折り返し４５は、カバー４０を表紙３０に取り付ける際に折り返す部分である。前折り返し４４には、カバー４０の製作元等のカバー情報（図示せず）が記載されている。後折り返し４５には、書籍名、発行年月日、著者名、及び発行所情報と、書籍に関連した書籍の情報（図示せず）が印刷されている。【００３８】  次に、図６を参照して、書籍２０の帯５０について説明する。カバー４０と同様に、帯５０は、表紙３０及びカバー４０に対応するような前面５１、背面５２、後面５３、前折り返し５４、及び後折り返し５５を備えている。【００３９】  前面５１及び後面５３には、書籍２０の特徴を示す画像、キャッチフレーズ、監修者の写真等が記載されている。背面５２には、カバー４０の背面４２のうち背面５２と対応する部分が印刷されている。【００４０】  次に、図７を参照して、書籍２０の付属物であるＤＶＤ６０の表面６１について説明する。図７に示すように、ＤＶＤ６０の表面６１には、書籍名、ロゴ、著者名、及び画像が印刷されている。【００４１】  尚、本考案の書籍管理用スリップは、上記した実施の形態に限定されるものではなく、本考案の要旨を逸脱しない範囲内において種々変更を加え得ることは勿論である。【００４２】  上述した実施の形態では、書籍管理用スリップ１の画像印刷部５には、カバー４０及び帯５０の前面の画像５ａを印刷したが、画像５ａは、カバー４０及び帯５０の全体の画像でもよい。【００４３】  ま���、画像印刷部５に印刷される画像５ａは、表紙３０、カバー４０、帯５０のうちいずれかの全体でもよいし一部でもよい。また、表紙３０、カバー４０、帯５０のうち２つ以上の画像を組み合わせてもよい。【００４４】  また、画像印刷部５に印刷される画像５ａは、書籍２０の表紙３０（カバー４０）の書籍名記載部３１ａ（書籍名記載部４１ａ）の画像でもよい。【００４５】  また、画像印刷部５に印刷される画像５ａは、書籍２０の表紙３０及びカバー４０のロゴ部３１ｂ及び４１ｂでもよい。このような構成によれば、どのような属性（例えばシリーズ名など）の書籍が売れているかの認識が容易となる。【００４６】  また、画像印刷部５に印刷される画像５ａは、書籍２０に付属する付属物（ＤＶＤ６０又はＣＤなど）の画像でもよい。このような構成によれば、どのような付属物が付属しているかの認識が容易となる。【００４７】  上述した実施の形態では、画像印刷部５は書籍管理用スリップ１の表側表面１０に形成されていたが、裏側表面１１に形成されてもよい。また画像印刷部５の表側表面１０又は裏側表面１１における位置及び形状も特に限定されない。
【図面の簡単な説明】
【００４８】
【図１（ａ）】本考案の実施の形態による書籍管理用スリップの表側表面を示す説明図である。
【図１（ｂ）】本考案の実施の形態による書籍管理用スリップの裏側表面を示す説明図である。
【図２】画像印刷部の画像を示す説明図である。
【図３】書籍を示す説明図である。
【図４】書籍の表紙を示す説明図である。
【図５】書籍のカバーを示す説明図である。
【図６】書籍の帯を示す説明図である。
【図７】書籍に付属のＤＶＤを示す説明図である。
【符号の説明】
【００４９】１ 書籍管理用スリップ２ シート状基材３ 突出部４ 機械読取コード部５ 画像印刷部６ 書籍識別情報印字部１０ 表側表面１１ 裏側表面２０ 書籍３０ 表紙３１ 前面３２ 背面３３ 後面４０ カバー４１ 前面４２ 背面４３ 後面５０ 帯５１ 前面５２ 背面５３ 後面６０ 付属物６１ 表面
【手続補正３】
【補正対象書類名】図面
【補正対象項目名】全図
【補正方法】変更
【補正の内容】
【図１（ａ）】
0003133757.tif 000011
【図１（ｂ）】
0003133757.tif 000012
【図２】
0003133757.tif 000013
【図３】
0003133757.tif 000014
【図４】
0003133757.tif 000015
【図５】
0003133757.tif 000016
【図６】
0003133757.tif 000017
【図７】
0003133757.tif 000018